(57)【特許請求の範囲】
【請求項１】
タッチ表面に対するタッチの圧力検出が可能なタッチ入力装置であって、
ディスプレイパネルを含むディスプレイモジュールと、
前記ディスプレイモジュールの下面に一体型に形成された圧力電極と、
を含み、
前記ディスプレイモジュールは、内部に基準電位層を含み、
前記圧力電極から前記圧力電極と前記基準電位層との間の静電容量によって変化する電気的信号が検出され、
前記静電容量は、前記圧力電極と前記基準電位層との間の相対的な距離変化によって変わり、
前記静電容量に基づいて前記タッチの圧力を検出する、
タッチ入力装置。
【請求項２】
タッチ表面に対するタッチの圧力検出が可能なタッチ入力装置であって、
ディスプレイパネルを含むディスプレイモジュールと、
前記ディスプレイモジュールの下面に印刷された圧力電極と、
を含み、
前記ディスプレイモジュールは、内部に基準電位層を含み、
前記圧力電極から前記圧力電極と前記基準電位層との間の静電容量によって変化する電気的信号が検出され、
前記静電容量は、前記圧力電極と前記基準電位層との間の相対的な距離変化によって変わり、
前記静電容量に基づいて前記タッチの圧力を検出する、
タッチ入力装置。
【請求項３】
タッチ表面に対するタッチの圧力検出が可能なタッチ入力装置であって、
ディスプレイパネルを含むディスプレイモジュールと、
前記ディスプレイモジュールにパターン化された圧力電極と、
を含み、
前記圧力電極は、前記ディスプレイモジュールの下面にパターンとして印刷され、
前記ディスプレイモジュールは、内部に基準電位層を含み、
前記圧力電極から前記圧力電極と前記基準電位層との間の静電容量によって変化する電気的信号が検出され、
前記静電容量は、前記圧力電極と前記基準電位層との間の相対的な距離変化によって変わり、
前記静電容量に基づいて前記タッチの圧力を検出する、
タッチ入力装置。
【請求項４】
前記圧力が印加されれば、前記ディスプレイモジュールが撓み、
前記ディスプレイモジュールが撓むことによって前記圧力電極と前記基準電位層との間の距離が変わる、請求項１ないし３のいずれか１項に記載のタッチ入力装置。
【請求項５】
前記圧力電極は、複数のチャネルを構成する、請求項１ないし４のいずれか１項に記載のタッチ入力装置。
【請求項６】
前記複数のチャネルを用いて多重タッチに対する多重圧力検出が可能である、請求項５に記載のタッチ入力装置。
【請求項７】
前記タッチ入力装置は、前記ディスプレイモジュールの上部に配置されるガラスカバー層をさらに含み、
前記圧力電極は、前記ディスプレイモジュールの表示領域と垂直方向において重なり合う位置に形成される、請求項１ないし６のいずれか１項に記載のタッチ入力装置。
【請求項８】
前記ディスプレイモジュールは、第１ガラス層及び前記第１ガラス層の下部に配置された第２ガラス層をさらに含み、
前記圧力電極は、前記ディスプレイモジュールの表示領域と垂直方向において重なり合う位置に形成される、請求項１ないし６のいずれか１項に記載のタッチ入力装置。
【発明の詳細な説明】
【技術分野】
【０００１】
本発明は、スマートフォンに関するもので、より詳しくは、ディスプレイモジュールを含むスマートフォンとして、タッチ位置及びタッチ圧力の大きさを検出できるように構成されたスマートフォンに関する。
【背景技術】
【０００２】
コンピューティングシステムの操作のために、多様な種類の入力装置が用いられている。例えば、ボタン（ｂｕｔｔｏｎ）、キー（ｋｅｙ）、ジョイスティック（ｊｏｙｓｔｉｃｋ）、及びタッチスクリーンのような入力装置が用いられている。タッチスクリーンの手軽で簡単な操作により、コンピューティングシステムの操作時にタッチスクリーンの利用が増加している。
【０００３】
タッチスクリーンは、タッチ−感応表面（ｔｏｕｃｈ−ｓｅｎｓｉｔｉｖｅ ｓｕｒｆａｃｅ）を備えた透明なパネルであり得るタッチセンサパネル（ｔｏｕｃｈ ｓｅｎｓｏｒ ｐａｎｅｌ）を含むタッチ入力装置のタッチ表面を構成することができる。このようなタッチセンサパネルはディスプレイスクリーンの前面に付着され、タッチ−感応表面がディスプレイスクリーンの見える面を覆うことができる。使用者が指などでタッチスクリーンを単純にタッチすることによって、使用者がコンピューティングシステムを操作することができるようにする。一般的に、コンピューティングシステムは、タッチスクリーン上のタッチ及びタッチ位置を認識して、このようなタッチを解釈することによって、これに従い演算を遂行することができる。
【０００４】
この時、ディスプレイモジュールの性能を低下させないながらも、タッチスクリーン上のタッチによるタッチ位置だけでなく、タッチ圧力の大きさを検出できるタッチ入力装置に対する必要性が生じている。
【発明の概要】
【発明が解決しようとする課題】
【０００５】
本発明の一実施形態では、タッチスクリーン上のタッチの位置だけでなく、タッチ圧力の大きさを検出できるディスプレイモジュールを含むスマートフォンを提供する。
【０００６】
本発明の他の実施形態では、ディスプレイモジュールの視認性（ｖｉｓｉｂｉｌｉｔｙ）、及び、光透過率を低下させることなしにタッチ位置及びタッチ圧力の大きさを検出することができるように構成された、ディスプレイモジュールを含むスマートフォンを提供する。
【０００７】
本発明のさらに他の実施形態では、別途のエアギャップ（ａｉｒ ｇａｐ）を製作することなしに、製作工程により既に存在するエアギャップを利用してタッチ位置及びタッチ圧力の大きさを検出することができるように構成された、ディスプレイモジュールを含むスマートフォンを提供する。
【課題を解決するための手段】
【０００８】
本発明の実施形態によるスマートフォンは、カバー層と、前記カバー層の下部に位置し、液晶層及び前記液晶層を挟んで位置する第１ガラス層及び第２ガラス層を含み、静電容量方式でタッチを感知するタッチセンサの少なくとも一部が前記第１ガラス層と前記第２ガラス層との間に位置するＬＣＤパネルと、前記ＬＣＤパネルの下部に位置するバックライトユニットと、前記バックライトユニットの下部に位置する圧力電極と、前記圧力電極の下部に位置する遮蔽用部材と、を含み、前記タッチセンサは、複数の駆動電極と複数の受信電極とを含み、前記タッチセンサに駆動信号が印加され、前記タッチセンサから出力される感知信号からタッチ位置を検出することができ、前記圧力電極から出力される静電容量の変化量に基づいてタッチ圧力の大きさを検出することができる。
【０００９】
本発明の他の実施形態によるスマートフォンは、カバー層と、前記カバー層の下部に位置し、液晶層及び前記液晶層を挟んで位置する第１ガラス層及び第２ガラス層を含み、静電容量方式でタッチを感知するタッチセンサの少なくとも一部が前記第１ガラス層と前記第２ガラス層との間に位置するＬＣＤパネルと、前記ＬＣＤパネルの下部に位置し、光源及び反射板を含むバックライトユニットと、前記バックライトユニットの下部に位置する圧力電極と、前記圧力電極の下部に位置する遮蔽用部材と、を含み、前記タッチセンサは、複数の駆動電極と複数の受信電極とを含み、前記タッチセンサに駆動信号を印加するための駆動部と、前記タッチセンサから感知信号を受信してタッチ位置を検出するための感知部と、前記圧力電極から出力される静電容量の変化量に基づいてタッチ圧力の大きさを検出するための圧力検出部と、をさらに含んでもよい。
【００１０】
本発明の他の実施形態によるスマートフォンは、カバー層と、前記カバー層の下部に位置し、液晶層及び前記液晶層を挟んで位置する第１ガラス層及び第２ガラス層を含み、静電容量方式でタッチを感知するタッチセンサの少なくとも一部が前記第１ガラス層と前記第２ガラス層との間に位置するＬＣＤパネルと、前記ＬＣＤパネルの下部に位置するバックライトユニットと、前記バックライトユニットの下部に位置する圧力電極と、前記圧力電極と離隔された基準電位層と、を含み、前記タッチセンサは、複数の駆動電極と複数の受信電極とを含み、前記タッチセンサに駆動信号が印加され、前記タッチセンサから出力される感知信号からタッチ位置を検出することができ、前記圧力電極から出力される静電容量の変化量に基づいてタッチ圧力の大きさを検出することができ、前記静電容量の変化量は、前記圧力電極と前記基準電位層との間の距離によって変化し得る。
【発明の効果】
【００１１】
本発明の実施形態によれば、タッチスクリーン上のタッチの位置だけでなく、タッチ圧力の大きさを検出できるディスプレイモジュールを含むスマートフォンを提供することができる。
【００１２】
また、本発明の実施形態によれば、ディスプレイモジュールの視認性（ｖｉｓｉｂｉｌｉｔｙ）、及び、光透過率を低下させることなしにタッチ位置及びタッチ圧力の大きさを検出することができるように構成された、ディスプレイモジュールを含むスマートフォンを提供することができる。
【００１３】
また、本発明の実施形態によれば、別途のエアギャップ（ａｉｒ ｇａｐ）を製作することなしに、製作工程により既に存在するエアギャップを利用してタッチ位置及びタッチ圧力の大きさを検出することができるように構成された、ディスプレイモジュールを含むスマートフォンを提供することができる。
【図面の簡単な説明】
【００１４】
【図１】本発明の実施形態による静電容量方式のタッチセンサパネル及びこの動作のための構成の概略図である。
【図２ａ】本発明の実施形態によるタッチ入力装置において、ディスプレイモジュールに対するタッチセンサパネルの相対的な位置を例示する概念図である。
【図２ｂ】本発明の実施形態によるタッチ入力装置において、ディスプレイモジュールに対するタッチセンサパネルの相対的な位置を例示する概念図である。
【図２ｃ】本発明の実施形態によるタッチ入力装置において、ディスプレイモジュールに対するタッチセンサパネルの相対的な位置を例示する概念図である。
【図３】本発明の第１実施形態によりタッチ位置及びタッチ圧力を検出できるように構成されたタッチ入力装置の断面図である。
【図４ａ】本発明の第２実施形態によるタッチ入力装置の断面図である。
【図４ｂ】本発明の第２実施形態によるタッチ入力装置に含まれ得るディスプレイモジュールの例示的な断面図である。
【図５】本発明の第２実施形態によるタッチ入力装置の斜視図である。
【図６ａ】本発明の第１実施形態による圧力電極パターンを含むタッチ入力装置の断面図である。
【図６ｂ】図６ａに示されたタッチ入力装置に圧力が印加された場合の断面図である。
【図６ｃ】本発明の第１実施形態の変形例による圧力電極パターンを含むタッチ入力装置の断面図である。
【図６ｄ】図６ｃに示されたタッチ入力装置に圧力が印加された場合の断面図である。
【図６ｅ】本発明の第２実施形態による圧力電極を含むタッチ入力装置の断面図である。
【図６ｆ】本発明の第１実施形態による圧力電極パターンを例示する。
【図６ｇ】本発明の第２実施形態による圧力電極パターンを例示する。
【図６ｈ】本発明の実施形態に適用され得る圧力電極パターンを例示する。
【図６ｉ】本発明の実施形態に適用され得る圧力電極パターンを例示する。
【図７ａ】本発明の第３実施形態による圧力電極を含むタッチ入力装置の断面図である。
【図７ｂ】本発明の第３実施形態による圧力電極パターンを例示する。
【図８】本発明の実施形態による圧力電極の付着構造を例示する。
【図９ａ】本発明の第２実施形態による圧力電極の付着方法を例示する。
【図９ｂ】本発明の第２実施形態による圧力電極の付着方法を例示する。
【図１０ａ】本発明の第２実施形態による圧力電極をタッチセンシング回路に連結する方法を例示する。
【図１０ｂ】本発明の第２実施形態による圧力電極をタッチセンシング回路に連結する方法を例示する。
【図１０ｃ】本発明の第２実施形態による圧力電極をタッチセンシング回路に連結する方法を例示する。
【図１１ａ】本発明の実施形態による圧力電極が複数のチャンネルを構成する場合を例示する。
【図１１ｂ】本発明の実施形態による圧力電極が複数のチャンネルを構成する場合を例示する。
【図１１ｃ】本発明の実施形態による圧力電極が複数のチャンネルを構成する場合を例示する。
【図１２】本発明の実施形態によるタッチ入力装置１０００のタッチ表面中心部を非伝導性客体で加圧する実験を遂行し、客体のグラム重量による静電容量の変化量を表示するグラフである。
【発明を実施するための形態】
【００１５】
後述する本発明に対する詳細な説明は、本発明を実施することができる特定の実施形態を例示として図示する添付の図面を参照する。これらの実施形態は、当業者が本発明を実施するのに十分なように詳しく説明する。本発明の多様な実施形態は互いに異なるが、相互に排他的である必要はないことが理解されなければならない。例えば、ここに記載されている特定の形状、構造及び特性は、一実施形態に関連して本発明の精神及び範囲を外れないながらも、他の実施形態で具現されてもよい。また、それぞれの開示された実施形態内の個別構成要素の位置又は配置は、本発明の精神及び範囲を外れないながらも、変更されてもよいことが理解されなければならない。したがって、後述する詳細な説明は、限定的な意味として取ろうとするのではなく、本発明の範囲は、適切に説明されるならば、その請求項が主張するのと均等なすべての範囲とともに添付された請求項によってのみ限定される。図面において類似の参照符号は様々な側面にわたって同一もしくは類似の機能を指し示す。
【００１６】
以下、添付される図面を参照して本発明の実施形態によるタッチ入力装置を説明する。以下では、静電容量方式のタッチセンサパネル１００及び圧力検出モジュール４００を例示するが、任意の方式でタッチ位置及び／又はタッチ圧力を検出できるタッチセンサパネル１００及び圧力検出モジュール４００が適用されてもよい。
【００１７】
図１は、本発明の実施形態による静電容量方式のタッチセンサパネル１００及びこの動作のための構成の概略図である。図１を参照すると、本発明の実施形態によるタッチセンサパネル１００は、複数の駆動電極ＴＸ１〜ＴＸｎ及び複数の受信電極ＲＸ１〜ＲＸｍを含み、前記タッチセンサパネル１００の動作のために複数の駆動電極ＴＸ１〜ＴＸｎに駆動信号を印加する駆動部１２０、及びタッチセンサパネル１００のタッチ表面に対するタッチによって変化する静電容量の変化量に対する情報を含む感知信号を受信して、タッチ及びタッチ位置を検出する感知部１００を含んでもよい。
【００１８】
図１に示されたように、タッチセンサパネル１００は、複数の駆動電極ＴＸ１〜ＴＸｎと複数の受信電極ＲＸ１〜ＲＸｍとを含んでもよい。図１においては、タッチセンサパネル１００の複数の駆動電極ＴＸ１〜ＴＸｎと複数の受信電極ＲＸ１〜ＲＸｍとが直交アレイを構成することが示されているが、本発明はこれに限定されず、複数の駆動電極ＴＸ１〜ＴＸｎと複数の受信電極ＲＸ１〜ＲＸｍが対角線、同心円、及び３次元ランダム配列などをはじめとする任意の数の次元、及びこの応用配列を有するようにすることができる。ここで、ｎ及びｍは、量の整数として互いに同じか、もしくは異なる値を有してもよく、実施形態により大きさが変わってもよい。
【００１９】
図１に示されたように、複数の駆動電極ＴＸ１〜ＴＸｎと複数の受信電極ＲＸ１〜ＲＸｍとは、それぞれ互いに交差するように配列されてもよい。駆動電極ＴＸは、第１軸方向に延びた複数の駆動電極ＴＸ１〜ＴＸｎを含み、受信電極ＲＸは、第１軸方向と交差する第２軸方向に延びた複数の受信電極ＲＸ１〜ＲＸｍを含んでもよい。
【００２０】
本発明の実施形態によるタッチセンサパネル１００において、複数の駆動電極ＴＸ１〜ＴＸｎと複数の受信電極ＲＸ１〜ＲＸｍとは、互いに同一の層に形成されてもよい。例えば、複数の駆動電極ＴＸ１〜ＴＸｎと複数の受信電極ＲＸ１〜ＲＸｍとは、絶縁膜（図示せず）の同一の面に形成されてもよい。また、複数の駆動電極ＴＸ１〜ＴＸｎと複数の受信電極ＲＸ１〜ＲＸｍは、互いに異なる層に形成されてもよい。例えば、複数の駆動電極ＴＸ１〜ＴＸｎと複数の受信電極ＲＸ１〜ＲＸｍは、一つの絶縁膜（図示せず）の両面にそれぞれ形成されてもよく、又は、複数の駆動電極ＴＸ１〜ＴＸｎは、第１絶縁膜（図示せず）の一面に、そして複数の受信電極ＲＸ１〜ＲＸｍは、前記第１絶縁膜と異なる第２絶縁膜（図示せず）の一面上に形成されてもよい。
【００２１】
複数の駆動電極ＴＸ１〜ＴＸｎと複数の受信電極ＲＸ１〜ＲＸｍとは、透明伝導性物質（例えば、酸化スズ（ＳｎＯ２）及び酸化インジウム（Ｉｎ２Ｏ３）等からなるＩＴＯ（Ｉｎｄｉｕｍ Ｔｉｎ Ｏｘｉｄｅ）又はＡＴＯ（Ａｎｔｉｍｏｎｙ Ｔｉｎ Ｏｘｉｄｅ））等から形成されてもよい。しかし、これは単に例示に過ぎず、駆動電極ＴＸ及び受信電極ＲＸは、他の透明伝導性物質又は不透明伝導性物質から形成されてもよい。例えば、駆動電極ＴＸ及び受信電極ＲＸは、銀インク（ｓｉｌｖｅｒ ｉｎｋ）、銅（ｃｏｐｐｅｒ）又は炭素ナノチューブ（ＣＮＴ：Ｃａｒｂｏｎ Ｎａｎｏｔｕｂｅ）のうち少なくとも何れか一つを含んで構成されてもよい。また、駆動電極ＴＸ及び受信電極ＲＸは、メタルメッシュ（ｍｅｔａｌ ｍｅｓｈ）で具現されるか、もしくは銀ナノ（ｎａｎｏ ｓｉｌｖｅｒ）物質から構成されてもよい。
【００２２】
本発明の実施形態による駆動部１２０は、駆動信号を駆動電極ＴＸ１〜ＴＸｎに印加することができる。本発明の実施形態において、駆動信号は、第１駆動電極ＴＸ１から第ｎ駆動電極ＴＸｎまで順次一度に一つの駆動電極に対して印加されてもよい。このような駆動信号の印加は、再度反復して成されてもよい。これは単に例示に過ぎず、実施形態により多数の駆動電極に駆動信号が同時に印加されてもよい。
【００２３】
感知部１１０は、受信電極ＲＸ１〜ＲＸｍを通じて駆動信号が印加された駆動電極ＴＸ１〜ＴＸｎと受信電極ＲＸ１〜ＲＸｍとの間に生成された静電容量Ｃｍ：１０１に関する情報を含む感知信号を受信することによって、タッチの有無及びタッチ位置を検出することができる。例えば、感知信号は、駆動電極ＴＸに印加された駆動信号が駆動電極ＴＸと受信電極ＲＸとの間に生成された静電容量ＣＭ：１０１によりカップリングされた信号であってもよい。このように、第１駆動電極ＴＸ１から第ｎ駆動電極ＴＸｎまで印加された駆動信号を受信電極ＲＸ１〜ＲＸｍを通じて感知する過程は、タッチセンサパネル１００をスキャン（ｓｃａｎ）すると指称すことができる。
【００２４】
例えば、感知部１１０は、それぞれの受信電極ＲＸ１〜ＲＸｍとスイッチを通じて連結された受信機（図示せず）を含んで構成されてもよい。前記スイッチは、該当受信電極ＲＸの信号を感知する時間区間に、オン（ｏｎ）になって受信電極ＲＸから感知信号が受信機で感知され得るようにする。受信機は、増幅器（図示せず）及び増幅器の負（−）入力端と増幅器の出力端との間、すなわち帰還経路に結合した帰還キャパシタを含んで構成されてもよい。この時、増幅器の正（＋）入力端は、グランド（ｇｒｏｕｎｄ）に接続されてもよい。また、受信機は、帰還キャパシタと並列に連結されるリセットスイッチをさらに含んでもよい。リセットスイッチは、受信機によって遂行される電流において電圧への変換をリセットすることができる。増幅器の負入力端は、該当受信電極ＲＸと連結されて静電容量ＣＭ：１０１に対する情報を含む電流信号を受信した後、積分して電圧に変換することができる。感知部１１０は、受信機を通じて積分されたデータをデジタルデータに変換するＡＤＣ（図示せず：ａｎａｌｏｇ ｔｏ ｄｉｇｉｔａｌ ｃｏｎｖｅｒｔｅｒ）をさらに含んでもよい。その後、デジタルデータはプロセッサ（図示せず）に入力され、タッチセンサパネル１００に対するタッチ情報を取得するように処理されてもよい。感知部１１０は受信機とともに、ＡＤＣ及びプロセッサを含んで構成されてもよい。
【００２５】
制御部１３０は、駆動部１２０と感知部１１０の動作を制御する機能を遂行することができる。例えば、制御部１３０は、駆動制御信号を生成した後、駆動部１２０に伝達して駆動信号が所定の時間にあらかじめ設定された駆動電極ＴＸに印加されるようにすることができる。また、制御部１３０は、感知制御信号を生成した後、感知部１１０に伝達して感知部１１０が所定の時間にあらかじめ設定された受信電極ＲＸから感知信号の入力を受けて、あらかじめ設定された機能を遂行するようにすることができる。
【００２６】
図１において駆動部１２０及び感知部１１０は、本発明の実施形態によるタッチセンサパネル１００に対するタッチの有無及びタッチ位置を検出することができるタッチ検出装置（図示せず）を構成することができる。本発明の実施形態によるタッチ検出装置は、制御部１３０をさらに含んでもよい。本発明の実施形態によるタッチ検出装置は、タッチセンサパネル１００を含むタッチ入力装置１０００において、タッチセンシング回路であるタッチセンシングＩＣ（ｔｏｕｃｈ ｓｅｎｓｉｎｇ Ｉｎｔｅｇｒａｔｅｄ Ｃｉｒｃｕｉｔ：図１０の１５０）上に集積されて具現されてもよい。タッチセンサパネル１００に含まれた駆動電極ＴＸ及び受信電極ＲＸは、例えば伝導性トレース（ｃｏｎｄｕｃｔｉｖｅ ｔｒａｃｅ）及び／又は回路基板上に印刷された伝導性パターン（ｃｏｎｄｕｃｔｉｖｅ ｐａｔｔｅｒｎ）等を通じてタッチセンシングＩＣ１５０に含まれた駆動部１２０及び感知部１１０に連結されてもよい。タッチセンシングＩＣ１５０は、伝導性パターンが印刷された回路基板、例えば図１０において１６０で表示される第１印刷回路基板（以下で、第１ＰＣＢという）上に位置することができる。実施形態によりタッチセンシングＩＣ１５０は、タッチ入力装置１０００の作動のためのメインボード上に実装されていてもよい。
【００２７】
以上で詳しく見たように、駆動電極ＴＸと受信電極ＲＸの交差地点ごとに所定値の静電容量Ｃが生成され、指のような客体がタッチセンサパネル１００に近接する場合、このような静電容量の値が変更されてもよい。図１において、前記静電容量は、相互静電容量Ｃｍを表わしてもよい。このような電気的特性を感知部１１０で感知し、タッチセンサパネル１００に対するタッチの有無及び／又はタッチ位置を感知することができる。例えば、第１軸と第２軸とからなる２次元平面からなるタッチセンサパネル１００の表面に対するタッチの有無及び／又はその位置を感知することができる。
【００２８】
より具体的に、タッチセンサパネル１００に対するタッチが生じる時、駆動信号が印加された駆動電極ＴＸを検出することによって、タッチの第２軸方向の位置を検出することができる。これと同様に、タッチセンサパネル１００に対するタッチの際に受信電極ＲＸを通じて受信された受信信号から静電容量の変化を検出することによって、タッチの第１軸方向の位置を検出することができる。
【００２９】
以上で、タッチセンサパネル１００として相互静電容量方式のタッチセンサパネルが詳しく説明されたが、本発明の実施形態によるタッチ入力装置１０００において、タッチの有無及びタッチ位置を検出するためのタッチセンサパネル１００は、前述した方法以外の自己静電容量方式、表面静電容量方式、プロジェクテッド（ｐｒｏｊｅｃｔｅｄ）静電容量方式、抵抗膜方式、表面弾性波方式（ＳＡＷ：ｓｕｒｆａｃｅ ａｃｏｕｓｔｉｃ ｗａｖｅ）、赤外線（ｉｎｆｒａｒｅｄ）方式、光学的イメージング方式（ｏｐｔｉｃａｌ ｉｍａｇｉｎｇ）、分散信号方式（ｄｉｓｐｅｒｓｉｖｅ ｓｉｇｎａｌ ｔｅｃｈｎｏｌｏｇｙ）、及び音声パルス認識（ａｃｏｕｓｔｉｃ ｐｕｌｓｅ ｒｅｃｏｇｎｉｔｉｏｎ）方式など、任意のタッチセンシング方式を用いて具現されてもよい。
【００３０】
本発明の実施形態によるタッチ入力装置１０００においてタッチ位置を検出するためのタッチセンサパネル１００は、ディスプレイモジュール２００の外部又は内部に位置してもよい。
【００３１】
本発明の実施形態によるタッチ入力装置１０００のディスプレイモジュール２００は、液晶表示装置（ＬＣＤ：Ｌｉｑｕｉｄ Ｃｒｙｓｔａｌ Ｄｉｓｐｌａｙ）、ＰＤＰ（Ｐｌａｓｍａ Ｄｉｓｐｌａｙ Ｐａｎｅｌ）、有機発光表示装置（Ｏｒｇａｎｉｃ Ｌｉｇｈｔ Ｅｍｉｔｔｉｎｇ Ｄｉｏｄｅ：ＯＬＥＤ）などに含まれたディスプレイパネルであってもよい。これにより、使用者はディスプレイパネルに表示された画面を視覚的に確認しながら、タッチ表面にタッチを遂行して入力行為を行うことができる。この時、ディスプレイモジュール２００は、タッチ入力装置１０００の作動のためのメインボード（ｍａｉｎ ｂｏａｒｄ）上の中央処理ユニットであるＣＰＵ（ｃｅｎｔｒａｌ ｐｒｏｃｅｓｓｉｎｇ ｕｎｉｔ）又はＡＰ（ａｐｐｌｉｃａｔｉｏｎ ｐｒｏｃｅｓｓｏｒ）などから入力を受けて、ディスプレイパネルに所望する内容をディスプレイするようにする制御回路を含んでもよい。このような制御回路は、図８ａないし９ｃにおいて第２印刷回路基板２１０（以下、第２ＰＣＢという）に実装されてもよい。この時、ディスプレイパネル２００の作動のための制御回路は、ディスプレイパネル制御ＩＣ、グラフィック制御ＩＣ（ｇｒａｐｈｉｃ ｃｏｎｔｒｏｌｌｅｒ ＩＣ）、及びその他のディスプレイパネル２００の作動に必要な回路を含んでもよい。
【００３２】
図２ａ、図２ｂ及び図２ｃは、本発明の実施形態によるタッチ入力装置において、ディスプレイモジュールに対するタッチセンサパネルの相対的な位置を例示する概念図である。図２ａないし図２ｃにおいては、ディスプレイモジュール２００内に含まれたディスプレイパネル２００ＡとしてＬＣＤパネルが示されているが、これは例示に過ぎず、任意のディスプレイパネルが本発明の実施形態によるタッチ入力装置１０００に適用されてもよい。
【００３３】
本願明細書において、図面符号２００Ａは、ディスプレイモジュール２００に含まれたディスプレイパネルを指し示す。図２に示されたように、ＬＣＤパネル２００Ａは、液晶セル（ｌｉｑｕｉｄ ｃｒｙｓｔａｌ ｃｅｌｌ）を含む液晶層２５０、液晶層２５０の両端に電極を含む第１ガラス層２６１と第２ガラス層２６２、そして前記液晶層２５０と対向する方向として前記第１ガラス層２６１の一面に第１偏光層２７１及び前記第２ガラス層２６２の一面に第２偏光層２７２を含んでもよい。該当技術分野の当業者には、ＬＣＤパネルがディスプレイ機能を遂行するために他の構成をさらに含んでもよく、変形が可能なことは自明であろう。
【００３４】
図２ａは、タッチ入力装置１０００において、タッチセンサパネル１００がディスプレイモジュール２００の外部に配置されたことを示す。タッチ入力装置１０００に対するタッチ表面は、タッチセンサパネル１００の表面であってもよい。図２ａにおいて、タッチ表面になり得るタッチセンサパネル１００の面は、タッチセンサパネル１００の上部面になってもよい。また、実施形態によりタッチ入力装置１０００に対するタッチ表面は、ディスプレイモジュール２００の外面になってもよい。図２ａにおいて、タッチ表面になり得るディスプレイモジュール２００の外面は、ディスプレイモジュール２００の第２偏光層２７２の下部面になってもよい。この時、ディスプレイモジュール２００を保護するために、ディスプレイモジュール２００の下部面はガラスのようなカバー層（図示せず）で覆われていてもよい。
【００３５】
図２ｂ及び２ｃは、タッチ入力装置１０００において、タッチセンサパネル１００がディスプレイパネル２００Ａの内部に配置されたことを示す。この時、図２ｂにおいては、タッチ位置を検出するためのタッチセンサパネル１００が、第１ガラス層２６１と第１偏光層２７１との間に配置されている。この時、タッチ入力装置１０００に対するタッチ表面は、ディスプレイモジュール２００の外面として図２ｂで上部面又は下部面になってもよい。図２ｃにおいては、タッチ位置を検出するためのタッチセンサパネル１００が、液晶層２５０に含まれて具現される場合を例示する。この時、タッチ入力装置１０００に対するタッチ表面は、ディスプレイモジュール２００の外面として図２ｃで上部面又は下部面になってもよい。図２ｂ及び図２ｃにおいて、タッチ表面になり得るディスプレイモジュール２００の上部面又は下部面は、ガラスのようなカバー層（図示せず）で覆われていてもよい。
【００３６】
以上においては、本発明の実施形態によるタッチセンサパネル１００に対するタッチの有無及び／又はタッチの位置を検出することを説明したが、本発明の実施形態によるタッチセンサパネル１００を用いてタッチの有無及び／又は位置と共にタッチの圧力の大きさを検出することができる。また、タッチセンサパネル１００と別個にタッチ圧力を検出する圧力検出モジュールをさらに含んで、タッチの圧力の大きさを検出することも可能である。
【００３７】
図３は、本発明の第１実施形態により、タッチ位置及びタッチ圧力を検出できるように構成されたタッチ入力装置の断面図である。
【００３８】
ディスプレイモジュール２００を含むタッチ入力装置１０００において、タッチ位置を検出するためのタッチセンサパネル１００及び圧力検出モジュール４００は、ディスプレイモジュール２００の前面に付着されてもよい。これにより、ディスプレイモジュール２００のディスプレイスクリーンを保護して、タッチセンサパネル１００のタッチ検出の感度を高めることができる。
【００３９】
この時、圧力検出モジュール４００は、タッチ位置を検出するためのタッチセンサパネル１００と別個に動作することもできるので、例えば、圧力検出モジュール４００は、タッチ位置を検出するためのタッチセンサパネル１００と独立して圧力だけを検出するように構成されてもよい。また、圧力検出モジュール４００は、タッチ位置を検出するためのタッチセンサパネル１００と結合してタッチ圧力を検出するように構成されてもよい。例えば、タッチ位置を検出するためのタッチセンサパネル１００に含まれた駆動電極ＴＸと受信電極ＲＸのうち少なくとも一つの電極は、タッチ圧力を検出するのに用いられてもよい。
【００４０】
図３において、圧力検出モジュール４００は、タッチセンサパネル１００と結合してタッチ圧力を検出できる場合を例示する。図３において、圧力検出モジュール４００は、前記タッチセンサパネル１００とディスプレイモジュール２００との間を離隔させるスペーサ層４２０を含む。圧力検出モジュール４００は、スペーサ層４２０を通じてタッチセンサパネル１００と離隔した基準電位層を含んでもよい。この時、ディスプレイモジュール２００は、基準電位層として機能することができる。
【００４１】
基準電位層は、駆動電極ＴＸと受信電極ＲＸとの間に生成された静電容量１０１に変化を引き起こさせるようにする任意の電位を有してもよい。例えば、基準電位層は、グランド（ｇｒｏｕｎｄ）電位を有するグランド層であってもよい。基準電位層は、ディスプレイモジュール２００のグランド（ｇｒｏｕｎｄ）層であってもよい。この時、基準電位層は、タッチセンサパネル１００の２次元平面と平行した平面を有してもよい。
【００４２】
図３に示されたように、タッチセンサパネル１００と基準電位層であるディスプレイモジュール２００とは、離隔して位置する。この時、タッチセンサパネル１００とディスプレイモジュール２００の接着方法の差によって、タッチセンサパネル１００とディスプレイモジュール２００との間のスペーサ層４２０は、エアギャップ（ａｉｒ ｇａｐ）で具現されてもよい。スペーサ層４２０は、実施形態により衝撃吸収物質からなってもよい。スペーサ層４２０は、実施形態により誘電物質（ｄｉｅｌｅｃｔｒｉｃ ｍａｔｅｒｉａｌ）で満たされてもよい。
【００４３】
この時、タッチセンサパネル１００とディスプレイモジュール２００とを固定するために、両面接着テープ４３０（ＤＡＴ：Ｄｏｕｂｌｅ Ａｄｈｅｓｉｖｅ Ｔａｐｅ）が用いられてもよい。例えば、タッチセンサパネル１００とディスプレイモジュール２００は、それぞれの面積が重ねられた形態であり、タッチセンサパネル１００とディスプレイモジュール２００それぞれの端領域において両面接着テープ４３０を介して二つの層が接着されるが、残りの領域においてタッチセンサパネル１００とディスプレイモジュール２００とが所定の距離ｄに離隔されてもよい。
【００４４】
一般的に、タッチセンサパネル１００の撓みなしにタッチ表面をタッチする場合でも、駆動電極ＴＸと受信電極ＲＸとの間の静電容量１０１：Ｃｍが変化する。すなわち、タッチセンサパネル１００に対するタッチの際に、相互静電容量Ｃｍ：１０１が基本相互静電容量に比べて減少する。これは指のような導体である客体がタッチセンサパネル１００に近接した場合、客体がグランドＧＮＤの役割をして相互静電容量Ｃｍ：１０１のフリンジング静電容量（ｆｒｉｎｇｉｎｇ ｃａｐａｃｉｔａｎｃｅ）が客体に吸収されるためである。基本相互静電容量は、タッチセンサパネル１００に対するタッチがない場合に、駆動電極ＴＸと受信電極ＲＸとの間の相互静電容量の値である。
【００４５】
タッチセンサパネル１００のタッチ表面である上部表面を客体でタッチする際に圧力が加えられた場合、タッチセンサパネル１００が撓む。この時、駆動電極ＴＸと受信電極ＲＸとの間の相互静電容量１０１：Ｃｍの値はさらに減少する。これは、タッチセンサパネル１００が撓んでタッチセンサパネル１００と基準電位層との間の距離がｄからｄ’に減少することによって、前記相互静電容量１０１：Ｃｍのフリンジング静電容量が客体だけでなく基準電位層にも吸収されるためである。タッチの客体が不導体である場合には、相互静電容量Ｃｍの変化は、単にタッチセンサパネル１００と基準電位層との間の距離変化ｄ−ｄ’のみに起因してもよい。
【００４６】
以上で詳しく見たように、ディスプレイモジュール２００上にタッチセンサパネル１００及び圧力検出モジュール４００を含んでタッチ入力装置１０００を構成することによって、タッチ位置だけでなくタッチ圧力を同時に検出することができる。
【００４７】
しかし、図３に示されたように、タッチセンサパネル１００だけでなく圧力検出モジュール４００までディスプレイモジュール２００の上部に配置させる場合、ディスプレイモジュールのディスプレイ特性が低下する問題点が発生する。特に、ディスプレイモジュール２００の上部にエアギャップ４２０を含む場合に、ディスプレイモジュールの視認性及び光透過率が低下することがある。
【００４８】
したがって、このような問題点が発生することを防止するために、タッチ位置を検出するためのタッチセンサパネル１００とディスプレイモジュール２００との間にエアギャップを配置せずに、ＯＣＡ（Ｏｐｔｉｃａｌｌｙ Ｃｌｅａｒ Ａｄｈｅｓｉｖｅ）のような接着剤でタッチセンサパネル１００とディスプレイモジュール２００とが完全ラミネーション（ｌａｍｉｎａｔｉｏｎ）されてもよい。
【００４９】
図４ａは、本発明の第２実施形態によるタッチ入力装置の断面図である。本発明の第２実施形態によるタッチ入力装置１０００において、タッチ位置を検出するためのタッチセンサパネル１００とディスプレイモジュール２００との間が接着剤で完全ラミネーションされる。これによりタッチセンサパネル１００のタッチ表面を通じて確認できるディスプレイモジュール２００のディスプレイの色の鮮明度、視認性、及び光透過性が向上してもよい。
【００５０】
図４ａ、図４ｂ及び図５、そしてこれを参照した説明において、本発明の第２実施形態によるタッチ入力装置１０００として、タッチセンサパネル１００がディスプレイモジュール２００上に接着剤でラミネーションされて付着したものを例示するが、本発明の第２実施形態によるタッチ入力装置１０００は、タッチセンサパネル１００が図２ｂ及び図２ｃなどに示されたように、ディスプレイモジュール２００の内部に配置される場合も含んでいてもよい。より具体的に、図４ａ、図４ｂ及び図５において、タッチセンサパネル１００がディスプレイモジュール２００を覆うことが示されているが、タッチセンサパネル１００はディスプレイモジュール２００の内部に位置して、ディスプレイモジュール２００がガラスのようなカバー層で覆われたタッチ入力装置１０００が、本発明の第２実施形態に用いられてもよい。
【００５１】
本発明の実施形態によるタッチ入力装置１０００は、携帯電話（ｃｅｌｌ ｐｈｏｎｅ）、ＰＤＡ（Ｐｅｒｓｏｎａｌ Ｄａｔａ Ａｓｓｉｓｔａｎｔ）、スマートフォン（ｓｍａｒｔｐｈｏｎｅ）、タブレットＰＣ（ｔａｐｌｅｔ Ｐｅｒｓｏｎａｌ Ｃｏｍｐｕｔｅｒ）、ＭＰ３プレーヤー、ノートブック（ｎｏｔｅｂｏｏｋ）などのようなタッチスクリーンを含む電子装置を含んでもよい。
【００５２】
本発明の実施形態によるタッチ入力装置１０００において、基板３００は、例えばタッチ入力装置１０００の最外郭をなす機構であるカバー３２０と共にタッチ入力装置１０００の作動のための回路基板及び／又はバッテリーが位置することができる実装空間３１０などを覆うハウジング（ｈｏｕｓｉｎｇ）の機能を遂行することができる。この時、タッチ入力装置１０００の作動のための回路基板には、メインボード（ｍａｉｎ ｂｏａｒｄ）として中央処理ユニットであるＣＰＵ（ｃｅｎｔｒａｌ ｐｒｏｃｅｓｓｉｎｇ ｕｎｉｔ）又はＡＰ（ａｐｐｌｉｃａｔｉｏｎ ｐｒｏｃｅｓｓｏｒ）などが実装されていてもよい。基板３００を通じてディスプレイモジュール２００とタッチ入力装置１０００の作動のための回路基板及び／又はバッテリーが分離し、ディスプレイモジュール２００で発生する電気的ノイズが遮断されてもよい。
【００５３】
タッチ入力装置１０００において、タッチセンサパネル１００又は前面カバー層が、ディスプレイモジュール２００、基板３００、及び実装空間３１０より広く形成されてもよく、これによりカバー３２０がタッチセンサパネル１００と共にディスプレイモジュール２００、基板３００及び回路基板３１０を覆うように、カバー３２０が形成されてもよい。
【００５４】
本発明の第２実施形態によるタッチ入力装置１０００は、タッチセンサパネル１００を通じてタッチ位置を検出し、ディスプレイモジュール２００と基板３００との間に圧力検出のための電極４５０、４６０を配置してタッチ圧力を検出することができる。この時、タッチセンサパネル１００は、ディスプレイモジュール２００の内部又は外部に位置することができる。本発明の第２実施形態によるタッチ入力装置１０００においては、別途のスペーサ層及び／又は基準電位層を製作することなしに、ディスプレイモジュール２００の内部又は外部に存在するエアギャップ（ａｉｒ ｇａｐ）及び／又は電位層を用いてタッチ圧力を検出することができ、これに対しては図４ｂないし図７ｂを参照して詳しく見てみる。
【００５５】
図４ｂは、本発明の第２実施形態によるタッチ入力装置１０００に含まれ得るディスプレイモジュール２００の例示的な断面図である。図４ｂでは、ディスプレイモジュール２００としてＬＣＤモジュールを例示する。図４ｂに示されたように、ＬＣＤモジュール２００は、ＬＣＤパネル２００Ａとバックライトユニット２００Ｂ（ｂａｃｋｌｉｇｈｔ ｕｎｉｔ）を含んで構成されてもよい。ＬＣＤパネル２００Ａは、それ自体が発光できず、ただし、光を遮断ないし透過させる機能を遂行する。したがって、ＬＣＤパネル２００Ａの下部には光源が位置して、ＬＣＤパネル２００Ａに光を照らし、画面には明るさと暗さだけでなく多様な色を有する情報を表現するようになる。ＬＣＤパネル２００Ａは、受動素子として自ら発光できないので、後面に均一な輝度分布を有する光源が要求される。ＬＣＤパネル２００Ａ及びバックライトユニット２００Ｂの構造及び機能は公示された技術であり、以下で簡単に見てみる。
【００５６】
ＬＣＤパネル２００Ａのためのバックライトユニット２００Ｂは、数個の光学的部品（ｏｐｔｉｃａｌ ｐａｒｔ）を含んでもよい。図４ｂにおいて、バックライトユニット２００Ｂは、光拡散及び光向上シート２３１、導光板２３２、及び反射板２４０を含んでもよい。この時、バックライトユニット２００Ｂは、線光源（ｌｉｎｅａｒ ｌｉｇｈｔ ｓｏｕｒｃｅ）又は点光源（ｐｏｉｎｔ ｌｉｇｈｔ ｓｏｕｒｃｅ）などの形態として、導光板２３２の後面及び／又は側面に配置された光源（図示せず）を含んでもよい。実施形態により、導光板２３２と光拡散及び光向上シート２３１の端に支持部２３３をさらに含んでもよい。
【００５７】
導光板２３２（ｌｉｇｈｔ ｇｕｉｄｅ ｐｌａｔｅ）は、一般的に、線光源又は点光源の形態である光源（図示せず）から光を面光源の形態に変換してＬＣＤパネル２００Ａに向かうようにする役割をすることができる。
【００５８】
導光板２３２から放出される光の一部がＬＣＤパネル２００Ａの反対面に放出されて損失することがある。反射板２４０は、このような損失した光を導光板２３２に再入射させられるように、導光板２３２の下部に位置して反射率が高い物質で構成されてもよい。
【００５９】
光拡散及び光向上シート２３１は、拡散シート（ｄｉｆｆｕｓｅｒ ｓｈｅｅｔ）及び／又はプリズムシート（ｐｒｉｓｍ ｓｈｅｅｔ）を含んでもよい。拡散シートは、導光板２３２から入射される光を拡散させる役割をする。例えば、導光板２３２のパターン（ｐａｔｔｅｒｎ）によって散乱した光は直接目に入ってくるため、導光板２３２のパターンがそのまま映るようになり得る。さらに、このようなパターンは、ＬＣＤパネル２００Ａを装着した後にも確然として感知できるので、拡散シートはこのような導光板２３２のパターンを相殺させる役割を遂行することができる。
【００６０】
拡散シートを過ぎると光の輝度は急激に落ちることになる。したがって、光を再びフォーカス（ｆｏｃｕｓ）させて光の輝度を向上させるようにプリズムシートが含まれてもよい。
【００６１】
バックライトユニット２００Ｂは、技術の変化、発展及び／又は実施形態により前述した構成と異なる構成を含んでもよく、また、前述した構成以外に追加的な構成をさらに含んでもよい。また、本発明の実施形態によるバックライトユニット２００Ｂは、例えば、バックライトユニット２００Ｂの光学的構成を外部の衝撃や異物流入による汚染などから保護するために、保護シート（ｐｒｏｔｅｃｔｉｏｎ ｓｈｅｅｔ）をプリズムシートの上部にさらに含んでもよい。また、バックライトユニット２００Ｂは、光源からの光損失を最小化にするため、実施形態によりランプカバー（ｌａｍｐ ｃｏｖｅｒ）をさらに含んでもよい。また、バックライトユニット２００Ｂは、バックライトユニット２００Ｂの主要構成である導光板２３２、シート２３１、及びランプ（図示せず）などが許容寸法に合うように、正確に分離組立が可能なようにする形態を維持するようにするフレーム（ｆｒａｍｅ）をさらに含んでもよい。また、前述した構成それぞれは、２以上の別個の部分から成ってもよい。例えば、プリズムシートは、２つのプリズムシートで構成されてもよい。
【００６２】
この時、導光板２３２と反射板２４０との間には、第１エアギャップ２２０−２が存在するように構成されてもよい。これにより、導光板２３２から反射板２４０への損失光が反射板２４０を通じて再び導光板２３２に再入射されてもよい。この時、エアギャップ２２０−２を維持できるように、導光板２３２と反射板２４０との間として、端には両面接着テープ２２１−２が含まれてもよい。
【００６３】
また、実施形態によりバックライトユニット２００Ｂは、ＬＣＤパネル２００Ａと第２エアギャップ２２０−１を挟んで位置してもよい。これは、ＬＣＤパネル２００Ａからの衝撃がバックライトユニット２００Ｂに伝達されるのを防止するためである。この時、エアギャップ２２０−１を維持できるようにバックライトユニット２００ＢとＬＣＤパネル２００Ａとの間として、端には両面接着テープ２２１−１が含まれてもよい。
【００６４】
以上で詳しく見たように、ディスプレイモジュール２００は、独自に第１エアギャップ２２０−２及び／又は第２エアギャップ２２０−１のようなエアギャップを含んで構成されてもよい。または、光拡散及び光向上シート２３１の複数のレイヤー間にエアギャップが含まれてもよい。以上では、ＬＣＤモジュールの場合に対して説明したが、他のディスプレイモジュールの場合にも構造内にエアギャップを含んでもよい。
【００６５】
したがって、本発明の第３実施形態によるタッチ入力装置１０００は、圧力検出のために別途のスペーサ層を製作することなしに、ディスプレイモジュール２００の内または外にすでに存在するエアギャップを使用することができる。スペーサ層として用いられるエアギャップは、図４ｂを参照して説明される第１エアギャップ２２０−２及び／又は第２エアギャップ２２０−１だけでなく、ディスプレイモジュール２００内に含まれる任意のエアギャップであってもよい。または、ディスプレイモジュール２００の外部に含まれるエアギャップであってもよい。このように、圧力を検出できるタッチ入力装置１０００を製造することで製造費用を節減し、及び／又は、製造工程を簡素化することができる。
【００６６】
図５は、本発明の第２実施形態によるタッチ入力装置の斜視図である。図５に示されたように、本発明の実施形態によるタッチ入力装置１０００において、ディスプレイモジュール２００と基板３００との間に位置する圧力検出のための電極４５０及び４６０を含んでもよい。以下で、タッチセンサパネル１００に含まれた電極と区分が明確になるように、圧力を検出するための電極４５０及び４６０を圧力電極４５０及び４６０と指称する。この時、圧力電極４５０及び４６０は、ディスプレイパネルの前面でない後面に含まれるので、透明物質だけでなく不透明物質で構成されることも可能である。図６ａは、本発明の第１実施形態による圧力電極パターンを含むタッチ入力装置の断面図である。図６ａに示されたように、本発明の第１実施形態による圧力電極４５０、４６０は、ディスプレイモジュール２００と基板３００との間で、基板３００上に形成されてもよい。図６ａないし図６ｆ及び図７ａにおいて、便宜のために圧力電極４５０、４６０の厚さが誇張されて厚く示されているが、圧力電極４５０、４６０はシート（ｓｈｅｅｔ）形態で具現され得るので、当該厚さは非常に小さくてもよい。同様に、ディスプレイモジュール２００と基板３００との間の間隔もまた誇張されて広く示されているが、この二つの間の間隔もまた非常に小さい間隔を有するように具現されてもよい。図６ａ及び図６ｂにおいて、圧力電極４５０、４６０が基板３００上に形成されたことを示すために、圧力電極４５０、４６０とディスプレイモジュール２００との間が離隔するように示したが、これは単に説明のためのものであり、これらの間は離隔しないように具現されてもよい。
【００６７】
圧力検出のための圧力電極は、第１電極４５０と第２電極４６０とを含んでもよい。この時、第１電極４５０と第２電極４６０のうち、いずれか一つは駆動電極であってもよく、残りの一つは受信電極であってもよい。駆動電極に駆動信号を印加して受信電極を通じて感知信号を獲得することができる。電圧が印加されると、第１電極４５０と第２電極４６０との間に相互静電容量が生成されてもよい。
【００６８】
この時、図６ａにおいては、ディスプレイモジュール２００がスペーサ層２２０及び基準電位層２７０を含むように示される。
【００６９】
スペーサ層２２０は、図４ｂを参照して説明されたように、ディスプレイモジュール２００の製造の際に含まれる第１エアギャップ２２０−２及び／又は第２エアギャップ２２０−１であってもよい。ディスプレイモジュール２００が一つのエアギャップを含む場合、当該一つのエアギャップがスペーサ層２２０の機能を遂行することができ、ディスプレイモジュール２００が複数個のエアギャップを含む場合、当該複数個のエアギャップが統合的にスペーサ層２２０の機能を遂行することができる。図６ａないし図６ｃ及び図７ａにおいては、機能的に一つのスペーサ層２２０を含むように示される。
【００７０】
本発明の実施形態によるタッチ入力装置１０００は、図２ａないし図２ｃにおいて、ディスプレイモジュール２００の内部として、スペーサ層２２０より上部に基準電位層２７０を含んでもよい。このような基準電位層２７０もまたディスプレイモジュール２００の製造時に、独自に含まれるグランド電位層であってもよい。例えば、図２ａないし図２ｃに示されたディスプレイパネル２００Ａにおいて、第１偏光層２７１と第１ガラス層２６１との間にノイズ（ｎｏｉｓｅ）遮蔽のための電極（図示せず）を含んでもよい。このような遮蔽のための電極はＩＴＯで構成されてもよく、グランドの役割を遂行することができる。このような基準電位層２７０は、ディスプレイモジュール２００の内部として、前記基準電位層２７０と圧力電極４５０、４６０との間にスペーサ層２２０が位置するようにする任意の所に位置することができ、以上で例示した遮蔽電極以外の任意の電位を有する電極が基準電位層２７０として用いられてもよい。例えば、基準電位層２７０は、ディスプレイモジュール２００の共通電極電位（Ｖｃｏｍ）層であってもよい。
【００７１】
特に、タッチ入力装置１０００を含む装置の厚さを薄くしようとする努力の一環として、別途のカバー又はフレーム（ｆｒａｍｅ）を通じてディスプレイモジュール２００を覆うように構成しなくてもよい。このような場合、基板３００と向かい合うディスプレイモジュール２００の下部面は、反射板２４０及び／又は不導体であってもよい。このような場合、ディスプレイモジュール２００の下部面は、グランド電位を有することはできない。このようにディスプレイモジュール２００の下部面が基準電位層として機能できない場合にも、本発明の実施形態によるタッチ圧力装置１０００を用いれば、ディスプレイモジュール２００の内部に位置する任意の電位層を基準電位層２７０として用いて圧力を検出することができる。
【００７２】
図６ｂは、図６ａに示されたタッチ入力装置１０００に圧力が印加された場合の断面図である。客体５００を通じてタッチセンサパネル１００の表面に圧力を印加する場合、タッチセンサパネル１００及びディスプレイモジュール２００は、撓んだり押されてもよい。この時、ディスプレイモジュール２００内に位置したスペーサ層２２０により、基準電位層２７０と圧力電極パターン４５０、４６０との間の距離ｄがｄ’に減少する。このような場合、前記距離ｄの減少により基準電位層２７０にフリンジング静電容量が吸収されるので、第１電極４５０と第２電極４６０との間の相互静電容量は減少する。したがって、受信電極を通じて取得される感知信号において、相互静電容量の減少量を取得してタッチ圧力の大きさを算出することができる。
【００７３】
この時、タッチ圧力の大きさが十分に大きい場合、所定の位置で基準電位層２７０と圧力電極パターン４５０、４６０との間の距離がこれ以上近づかない状態に至ってもよい。このような状態を、以下では飽和状態と指称する。しかし、このような場合にも、タッチ圧力の大きさがさらに大きくなる時には、基準電位層２７０と圧力電極パターン４５０、４６０との間の距離がこれ以上近づかない飽和状態にある面積が大きくなり得る。このような面積が大きくなるほど、第１電極４５０と第２電極４６０との間の相互静電容量は減少する。以下で、距離の変化に伴う静電容量の変化に従ってタッチ圧力の大きさを算出することが説明されるが、これは飽和状態にある飽和面積の変化に従ってタッチ圧力の大きさを算出することを含んでもよい。
【００７４】
本発明の実施形態によるタッチ入力装置１０００において、ディスプレイモジュール２００は、圧力を印加するタッチによって撓んだり押されてもよい。ディスプレイモジュール２００は、タッチの位置で最も大きい変形を示すように撓んだり押されてもよい。実施形態によりディスプレイモジュール２００が撓んだり押されるとき、最も大きい変形を示す位置は、前記タッチ位置と一致しないこともあるが、ディスプレイモジュール２００は、少なくとも前記タッチ位置で撓み又は押されることを示すことができる。例えば、タッチ位置がディスプレイモジュール２００の縁や端などに近接する場合、ディスプレイモジュール２００が撓んだり押される程度が最も大きい位置はタッチ位置と異なることもあるが、ディスプレイモジュール２００は、少なくとも前記タッチ位置で撓み又は押されることを示すことができる。
【００７５】
この時、タッチ入力装置１０００に対するタッチの際に、ディスプレイモジュール２００が撓んだり押されるとき、図６ｂに示されたように、スペーサ層２２０によってスペーサ層２２０の下部に位置した層（例えば、反射板）の撓み又は押されることは無いか、もしくは減少し得る。図６ｂにおいては、ディスプレイモジュール２００の最下部では撓み又は押されることが全くないよう示されたが、これは例示に過ぎず、ディスプレイモジュール２００の最下部でも撓み又は押されることがあり得るが、スペーサ層２２０を通じてその程度が緩和され得る。
【００７６】
この時、基板３００の上部面もまたノイズ遮蔽のためにグランド電位を有してもよい。したがって、基板３００と圧力電極４５０、４６０が短絡（ｓｈｏｒｔ ｃｉｒｃｕｉｔ）することを防止するために、圧力電極４５０、４６０は絶縁層４７０上に形成されてもよい。図８は、本発明の実施形態による圧力電極の付着構造を例示する。図８（ａ）を参照して説明すると、圧力電極４５０、４６０は、基板３００上に第１絶縁層４７０を位置させた後、圧力電極４５０、４６０を形成して構成されてもよい。また、実施形態により圧力電極４５０、４６０が形成された第１絶縁層４７０を基板３００上に付着して形成することができる。また、実施形態により圧力電極は、基板３００又は基板３００上の第１絶縁層４７０上に圧力電極パターンに相応する貫通孔を有するマスク（ｍａｓｋ）を位置させた後、伝導性スプレー（ｓｐｒａｙ）を噴射することによって形成されてもよい。
【００７７】
また、ディスプレイモジュール２００の下部面がグランド電位を有する場合、基板３００上に位置した圧力電極４５０、４６０とディスプレイモジュール３００とが短絡するのを防止するために、圧力電極４５０、４６０は追加の第２絶縁層４７１で圧力電極４５０、４６０を覆うことができる。また、第１絶縁層４７０上に形成された圧力電極４５０、４６０を追加の第２絶縁層４７１で覆った後、一体型で基板３００上に付着して圧力検出モジュール４００を形成することができる。
【００７８】
図８（ａ）を参照して説明された圧力電極４５０、４６０の付着構造及び方法は、圧力電極４５０、４６０がディスプレイモジュール２００に付着する場合にも適用されてもよい。圧力電極４５０、４６０がディスプレイモジュール２００に付着する場合は、図６ｆと関連してさらに詳しく説明される。
【００７９】
また、タッチ入力装置１０００の種類及び／又は具現方式により、圧力電極４５０、４６０が付着する基板３００又はディスプレイモジュール２００がグランド電位を示さないか、もしくは弱いグランド電位を示してもよい。このような場合、本発明の実施形態によるタッチ入力装置１０００は、基板３００又はディスプレイモジュール２００と絶縁層４７０との間にグランド電極（ｇｒｏｕｎｄ ｅｌｅｃｔｒｏｄｅ：図示せず）をさらに含んでもよい。実施形態により、グランド電極と基板３００又はディスプレイモジュール２００との間には、また別の絶縁層（図示せず）をさらに含んでもよい。この時、グランド電極（図示せず）は、圧力電極である第１電極４５０と第２電極４６０との間に生成される静電容量の大きさが非常に大きくなるのを防止することができる。
【００８０】
以上で説明した圧力電極４５０、４６０の形成及び付着方法は、以下の実施形態にも同様に適用されてもよい。
【００８１】
図６ｃは、本発明の第１実施形態の変形例による圧力電極パターンを含むタッチ入力装置の断面図である。図６ｃにおいては、スペーサ層４２０がディスプレイモジュール２００と基板３００との間に位置する場合を例示する。ディスプレイモジュール２００を含むタッチ入力装置１０００を製造するとき、ディスプレイモジュール２００と基板３００との間は完全に付着されないので、エアギャップ４２０が発生することがある。ここで、このようなエアギャップ４２０をタッチ圧力検出のためのスペーサ層として用いることにより、タッチ圧力検出のためにわざとスペーサ層を製作する時間・費用を節減することができる。ディスプレイモジュール２００と基板３００は、図６ｃ及び図６ｄではスペーサ層として用いられるエアギャップ２２０がディスプレイモジュール２００の内部に位置しないように示されているが、図６ｃ及び図６ｄでは、追加でエアギャップ２２０がディスプレイモジュール２００内に含まれる場合も含まれてもよい。
【００８２】
図６は、図６ｃに示されたタッチ入力装置に圧力が印加された場合の断面図である。図６ｂと同様にタッチ入力装置１０００に対するタッチの際にディスプレイモジュール２００が撓んだり押されてもよい。この時、基準電位層２７０と圧力電極４５０、４６０との間に位置するスペーサ層４２０により、基準電位層２７０と圧力電極パターン４５０、４６０との間の距離ｄがｄ’に減少する。このような場合、前記距離ｄの減少により基準電位層２７０にフリンジング静電容量が吸収されるので、第１電極４５０と第２電極４６０との間の相互静電容量は減少する。したがって、受信電極を通じて取得される感知信号において、相互静電容量の減少量を取得してタッチ圧力の大きさを算出することができる。
【００８３】
図６ｅは、本発明の第２実施形態による圧力電極を含むタッチ入力装置の断面図である。第１実施形態において、圧力電極４５０、４６０が基板３００上に形成されたことが例示されているが、圧力電極４５０、４６０は、ディスプレイモジュール２００の下部面上に形成されても構わない。タッチセンサパネルのタッチ表面をタッチすることにより、基準電位層２７０と圧力電極４５０、４６０との間の距離ｄが減少して、結果的に第１電極４５０と第２電極４６０との間の相互静電容量の変化を引き起こすことができる。図６ｅでは、圧力電極４５０、４６０がディスプレイモジュール２００上に付着することを説明するために、圧力電極４５０、４６０と基板３００との間が離隔するように示したが、これは単に説明のためのものであり、この二つの間は離隔しないように構成されてもよい。もちろん、図６ｃ及び図６ｄと同様にディスプレイモジュール２００と基板３００との間はスペーサ層４２０で離隔されてもよい。
【００８４】
図６ｆは、本発明の第１実施形態による圧力電極パターンを例示する。図６ｄでは、第１電極４５０と第２電極４６０とが基板３００上に形成された場合を示す。第１電極４５０と第２電極４６０との間の静電容量は、基準電位層２７０と圧力電極４５０、４６０との間の距離によって変わり得る。
【００８５】
図６ｇは、本発明の第２実施形態による圧力電極パターンを例示する。図６ｇにおいて、圧力電極４５０、４６０は、ディスプレイモジュール２００の下部面上に形成された場合を示す。
【００８６】
図６ｈ及び図６ｉは、本発明の実施形態に適用され得る圧力電極パターン４５０、４６０を例示する。第１電極４５０と第２電極４６０との間の相互静電容量が変化することによってタッチ圧力の大きさを検出する時、検出の正確度を高めるために必要な静電容量の範囲を生成するように、第１電極４５０と第２電極４６０のパターンを形成する必要がある。第１電極４５０と第２電極４６０とが互いに向かい合う面積が大きいか、もしくは長さが長いほど、生成される静電容量の大きさが大きくなってもよい。したがって、必要な静電容量の範囲により、第１電極４５０と第２電極４６０との間の向かい合う面積の大きさ、長さ及び形状などを調節して設計することができる。図６ｈ及び図６ｉには、第１電極４５０と第２電極４６０とが同一の層に形成される場合として、第１電極４５０と第２電極４６０とが互いに向かい合う長さが相対的に長いように圧力電極が形成された場合を例示する。
【００８７】
第１実施形態と第２実施形態において、第１電極４５０と第２電極４６０は、同一の層に形成されたもので示されているが、第１電極４５０と第２電極４６０は、実施形態により互いに異なる層に具現されても構わない。図８（ｂ）は、第１電極４５０と第２電極４６０とが互いに異なる層に具現された場合の付着構造を例示する。図８（ｂ）に例示されたように、第１電極４５０は第１絶縁層４７０上に形成され、第２電極４６０は第１電極４５０上に位置する第２絶縁層４７１上に形成されてもよい。実施形態により、第２電極４６０は第３絶縁層４７２で覆われてもよい。この時、第１電極４５０と第２電極４６０とは互いに異なる層に位置するので、互いにオーバーラップ（ｏｖｅｒｌａｐ）するように具現されてもよい。例えば、第１電極４５０と第２電極４６０とは、図１を参照して説明されたタッチセンサパネル１００に含まれたＭＸＮの構造で配列された駆動電極ＴＸと受信電極ＲＸのパターンと類似するように形成されてもよい。この時、Ｍ及びＮは、１以上の自然数であってもよい。
【００８８】
第１実施形態において、タッチ圧力は、第１電極４５０と第２電極４６０との間の相互静電容量の変化から検出されることが例示される。しかし、圧力電極４５０、４６０が第１電極４５０と第２電極４６０の何れか一つの圧力電極のみを含むように構成されてもよく、このような場合、一つの圧力電極と基準電位層２７０との間の静電容量の変化を検出することによって、タッチ圧力の大きさを検出することもできる。
【００８９】
例えば、図６ａ及び図６ｃにおいて、圧力電極は第１電極４５０のみを含んで構成されてもよく、この時、基準電位層２７０と第１電極４５０との間の距離変化によって引き起こされる第１電極４５０と基準電位層２７０との間の静電容量の変化からタッチ圧力の大きさを検出することができる。タッチ圧力が大きくなることによって距離ｄが減少するので、基準電位層２７０と第１電極４５０との間の静電容量は、タッチ圧力が増加するほど大きくなり得る。これは、図６ｅと関連した実施形態にも同様に適用されてもよい。この時、圧力電極は、相互静電容量の変化量の検出精度を高めるために必要な、くし形状又はフォーク形状を有する必要はなく、板（例えば、四角板）形状を有してもよい。
【００９０】
図８（ｃ）は、圧力電極が第１電極４５０のみを含んで具現された場合の付着構造を例示する。図８（ｃ）に例示されたように、第１電極４５０は、基板３００又はディスプレイモジュール２００上に位置した第１絶縁層４７０上に形成されてもよい。また、実施形態により第１電極４５０は第２絶縁層４７１で覆われてもよい。
【００９１】
図７ａは、本発明の第３実施形態による圧力電極を含むタッチ入力装置の断面図である。本発明の第３実施形態による圧力電極４５０、４６０は、基板３００の上部面及びディスプレイモジュール２００の下部面上に形成されてもよい。
【００９２】
圧力検出のための圧力電極パターンは、第１電極４５０と第２電極４６０を含んでもよい。この時、第１電極４５０と第２電極４６０の何れか一つは基板３００上に形成され、残りの一つはディスプレイモジュール２００の下部面上に形成されてもよい。図７ａにおいては、第１電極４５０が基板３００上に形成され、第２電極４６０がディスプレイモジュール２００の下部面上に形成されたことを例示する。図７ａにおいては、第１電極４５０と第２電極４６０との間が離隔されるように示されているが、これはただ第１電極４５０が基板３００上に形成され、第２電極４６０がディスプレイモジュール２００上に形成されたことを説明するためのものであり、この二つの間にはエアギャップで離隔したり、この二つの間に絶縁物質が位置したり、又は第１電極４５０と第２電極４６０とは互いに重ならないように、例えば同一な層に形成される場合と同様に横にずれるように形成されてもよい。
【００９３】
客体５００を通じてタッチセンサパネル１００の表面に圧力を印加する場合、タッチセンサパネル１００及びディスプレイモジュール２００は、撓んだり押されてもよい。これにより第１電極４５０及び第２電極４６０と基準電位層２７０との間の距離ｄが減少する。このような場合、前記距離ｄの減少により、第１電極４５０と第２電極４６０との間の相互静電容量は減少する。したがって、受信電極を通じて取得される感知信号において、相互静電容量の減少量を取得してタッチ圧力の大きさを算出することができる。
【００９４】
図７ｂは、本発明の第３実施形態による圧力電極パターンを例示する。図７ｂでは、第１電極４５０が基板３００の上部面上に形成され、第２電極４６０がディスプレイモジュール２００の下部面に形成されたことが示される。図７ｂに示されたように、第１電極４５０と第２電極４６０とが互いに直交するように配置して、静電容量の変化量の感知感度が向上し得る。
【００９５】
図８（ｄ）は、第１電極４５０が基板３００上に付着し、第２電極４６０がディスプレイモジュール２００に付着した場合の付着構造を例示する。図８（ｄ）に例示されたように、第１電極４５０は、基板３００上に形成された第１絶縁層４７０−２上に位置し、第１電極４５０は第２絶縁層４７１−２によって覆われていてもよい。また、第２電極４６０はディスプレイモジュール２００の下部面上に形成された第１絶縁層４７０−１上に位置し、第２電極４６０は第２絶縁層４７１−１によって覆われていてもよい。
【００９６】
図８（ａ）と関連して説明されたことと同様に、圧力電極４５０、４６０が付着する基板３００又はディスプレイモジュール２００がグランド電位を示さないか、もしくは弱いグランド電位を示す場合、図８（ａ）ないし図８（ｄ）において第１絶縁層４７０、４７０−１、４７０−２の間にグランド電極（図示せず）をさらに含んでもよい。この時、グランド電極（図示せず）と圧力電極４５０、４６０が付着する基板３００又はディスプレイモジュール２００の間には、追加の絶縁層（図示せず）をさらに含んでもよい。
【００９７】
以上で詳しく見たように、本発明の実施形態によるタッチ入力装置１０００は、圧力電極４５０、４６０で発生する静電容量の変化を感知する。したがって、第１電極４５０と第２電極４６０のうち駆動電極には駆動信号が印加される必要があり、受信電極から感知信号を取得して静電容量の変化量からタッチ圧力を算出しなければならない。実施形態により、圧力検出の動作のためのタッチセンシングＩＣを追加で含むことも可能である。このような場合、図１に示されたように、駆動部１２０、感知部１１０、及び制御部１３０と類似した構成を重複して含むようになるので、タッチ入力装置１０００の面積及び体積が大きくなる問題点が発生し得る。
【００９８】
実施形態により、タッチ入力装置１０００は、圧力検出のためにタッチセンサパネル１００の作動のためのタッチ検出装置を通じて駆動信号が印加され、感知信号の入力を受けてタッチ圧力を検出することができる。以下では、第１電極４５０が駆動電極であり、第２電極４６０が受信電極である場合を仮定して説明する。
【００９９】
このために、本発明の実施形態によるタッチ入力装置１０００において、第１電極４５０は駆動部１２０から駆動信号の印加を受け、第２電極４６０は感知信号を感知部１１０に伝達することができる。制御部１３０は、タッチセンサパネル１００のスキャニングを遂行すると共に圧力検出のスキャニングを遂行するようにしたり、又は、制御部１３０は時分割して第１時間区間にはタッチセンサパネル１００のスキャニングを遂行するようにし、第１時間区間とは異なる第２時間区間には圧力検出のスキャニングを遂行するように制御信号を生成することができる。
【０１００】
したがって、本発明の実施形態において、第１電極４５０と第２電極４６０は、電気的に駆動部１２０及び／又は感知部１１０に連結されなければならない。この時、タッチセンサパネル１００のためのタッチ検出装置は、タッチセンシングＩＣ１５０としてタッチセンサパネル１００の一端、又は、タッチセンサパネル１００と同一の平面上に形成されることが一般的である。圧力電極パターン４５０、４６０は、任意の方法でタッチセンサパネル１００のタッチ検出装置と電気的に連結されてもよい。例えば、圧力電極パターン４５０、４６０は、ディスプレイモジュール２００に含まれた第２ＰＣＢ２１０を用いてコネクタ（ｃｏｎｎｅｃｔｏｒ）を通じてタッチ検出装置に連結されてもよい。例えば、図５に示されたように、第１電極４５０と第２電極４６０からそれぞれ電気的に延びる伝導性トレース４５１及び４６１は、第２ＰＣＢ２１０などを通じてタッチセンシングＩＣ１５０まで電気的に連結されてもよい。
【０１０１】
図９ａ及び図９ｂは、本発明の第２実施形態による圧力電極の付着方法を例示する。図９ａ及び図９ｂでは、本発明の実施形態による圧力電極４５０、４６０がディスプレイモジュール２００の下部面に付着される場合を示す。図９ａ及び図９ｂにおいて、ディスプレイモジュール２００は、下部面の一部にディスプレイパネルの作動のための回路が実装された第２ＰＣＢ２１０が示される。
【０１０２】
図９ａは、第１電極４５０と第２電極４６０がディスプレイモジュール２００の第２ＰＣＢ２１０の一端に連結されるように、圧力電極４５０、４６０をディスプレイモジュール２００の下部面に付着する場合を例示する。この時、図９ａにおいては、第１電極４５０と第２電極４６０が絶縁層４７０上に製作された場合を例示する。圧力電極４５０、４６０は絶縁層４７０上に形成され、一体型シート（ｓｈｅｅｔ）としてディスプレイモジュール２００の下部面に付着されてもよい。第２ＰＣＢ２１０上には、圧力電極パターン４５０、４６０をタッチセンシングＩＣ１５０などの必要な構成まで電気的に連結できるように導電性パターンが印刷されていてもよい。これに対する詳細な説明は、図１０ａないし図１０ｃを参照して説明する。図９ａに例示された圧力電極パターン４５０、４６０の付着方法は、基板３００に対しても同様に適用されてもよい。
【０１０３】
図９ｂは、第１電極４５０と第２電極４６０がディスプレイモジュール２００の第２ＰＣＢ２１０に一体型で形成された場合を例示する。例えば、ディスプレイモジュール２００の第２ＰＣＢ２１０の製作時に、第２ＰＣＢに一定の面積２１１を割愛して予めディスプレイパネルの作動のための回路だけでなく、第１電極４５０と第２電極４６０に該当するパターンまで印刷することができる。第２ＰＣＢ２１０には、第１電極４５０及び第２電極４６０をタッチセンシングＩＣ１５０などの必要な構成まで電気的に連結する導電性パターンが印刷されてもよい。
【０１０４】
図１０ａないし図１０ｃは、本発明の第２実施形態による圧力電極をタッチセンシングＩＣ１５０に連結する方法を例示する。図１０ａないし図１０ｃにおいて、タッチセンサパネル１００がディスプレイモジュール２００の外部に含まれた場合として、タッチセンサパネル１００のタッチ検出装置がタッチセンサパネル１００のための第１ＰＣＢ１６０に実装されたタッチセンシングＩＣ１５０に集積された場合を例示する。
【０１０５】
図１０ａにおいて、ディスプレイモジュール２００に付着された圧力電極４５０、４６０が、第１コネクタ１２１を通じてタッチセンシングＩＣ１５０まで連結される場合を例示する。図１０ａに例示されたように、スマートフォンのような移動通信装置においてタッチセンシングＩＣ１５０は、第１コネクタ（ｃｏｎｎｅｃｔｏｒ）１２１を通じてディスプレイモジュール２００のための第２ＰＣＢ２１０に連結される。第２ＰＣＢ２１０は、第２コネクタ２２１を通じてメインボードに電気的に連結されてもよい。したがって、タッチセンシングＩＣ１５０は、第１コネクタ１２１及び第２コネクタ２２１を通じてタッチ入力装置１０００の作動のためにＣＰＵ又はＡＰと信号をやり取りすることができる。
【０１０６】
この時、図１０ａにおいては、圧力電極４５０が図９ｂに例示されたような方式でディスプレイモジュール２００に付着されたことが例示されているが、図９ａに例示されたような方式で付着した場合にも適用されてもよい。第２ＰＣＢ２１０には、圧力電極４５０、４６０が第１コネクタ１２１を通じてタッチセンシングＩＣ１５０まで電気的に連結され得るように導電性パターンが印刷されていてもよい。
【０１０７】
図１０ｂにおいて、ディスプレイモジュール２００に付着された圧力電極４５０、４６０が、第３コネクタ４７１を通じてタッチセンシングＩＣ１５０まで連結される場合が例示される。図１０ｂにおいて、圧力電極４５０、４６０は、第３コネクタ４７１を通じてタッチ入力装置１０００の作動のためのメインボードまで連結され、その後、第２コネクタ２２１及び第１コネクタ１２１を通じてタッチセンシングＩＣ１５０まで連結されてもよい。この時、圧力電極４５０、４６０は、第２ＰＣＢ２１０と分離した追加のＰＣＢ２１１上に印刷されてもよい。または、実施形態により圧力電極パターン４５０、４６０は絶縁層４７０上に形成され、圧力電極４５０、４６０から伝導性トレースなどを延長させてコネクタ４７１を通じてメインボードまで連結されてもよい。
【０１０８】
図１０ｃにおいて、圧力電極４５０、４６０が第４コネクタ４７２を通じて直接タッチセンシングＩＣ１５０に連結される場合が例示される。図１０ｃにおいて、圧力電極４５０、４６０は、第４コネクタ４７２を通じて第１ＰＣＢ１６０まで連結されてもよい。第１ＰＣＢ１６０には、第４コネクタ４７２からタッチセンシングＩＣ１５０まで電気的に連結する導電性パターンが印刷されていてもよい。これにより、圧力電極４５０、４６０は、第４コネクタ４７２を通じてタッチセンシングＩＣ１５０まで連結されてもよい。この時、圧力電極４５０、４６０は、第２ＰＣＢ２１０と分離した追加のＰＣＢ２１１上に印刷されてもよい。第２ＰＣＢ２１０と追加のＰＣＢ２１１は、互いに短絡しないように絶縁されていてもよい。または、実施形態により圧力電極４５０、４６０は絶縁層４７０上に形成され、圧力電極４５０、４６０から伝導性トレースなどを延長させてコネクタ４７２を通じて第１ＰＣＢ１６０まで連結されてもよい。
【０１０９】
図１０ｂ及び図１０ｃの連結方法は、圧力電極４５０、４６０がディスプレイモジュール２００の下部面だけでなく、基板３００上に形成された場合にも適用されてもよい。
【０１１０】
図１０ａないし図１０ｃにおいては、タッチセンシングＩＣ１５０が第１ＰＣＢ１６０上に形成されたＣＯＦ（ｃｈｉｐ ｏｎ ｆｉｌｍ）構造を仮定して説明された。しかし、これは単に例示に過ぎず、本発明は、タッチセンシングＩＣ１５０がタッチ入力装置１０００の実装空間３１０内のメインボード上に実装されるＣＯＢ（ｃｈｉｐ ｏｎ ｂｏａｒｄ）構造の場合にも適用されてもよい。図１０ａないし図１０ｃに対する説明から、当該技術分野の当業者に、他の実施形態の場合に圧力電極４５０、４６０のコネクタを通じた連結は自明であろう。
【０１１１】
以上においては、駆動電極として第１電極４５０が一つのチャネルを構成し、受信電極として第２電極４６０が一つのチャネルを構成する圧力電極４５０、４６０に対して詳しく見てみた。しかし、これは単に例示に過ぎず、実施形態により駆動電極及び受信電極は、それぞれ複数個のチャネルを構成して多重タッチ（ｍｕｌｔｉ ｔｏｕｃｈ）によって多重の圧力検出が可能であり得る。
【０１１２】
図１１ａないし図１１ｃは、本発明の実施形態による圧力電極が複数のチャネルを構成する場合を例示する。図１１ａでは、第１電極４５０−１、４５０−２と第２電極４６０−１、４６０−２それぞれが２個のチャネルを構成する場合が例示される。図１１ｂでは、第１電極４５０は２個のチャネル４５０−１、４５０−２を構成するが、第２電極４６０は１個のチャネルを構成する場合が例示される。図１１ｃでは、第１電極４５０−１ないし４５０−５と第２電極４６０−１、４６０−５それぞれが５個のチャネルを構成する場合が例示される。
【０１１３】
図１１ａないし図１１ｃは、圧力電極が単数又は複数のチャネルを構成する場合を例示して、多様な方法で圧力電極が単数又は複数のチャネルで構成されてもよい。図１１ａないし図１１ｃにおいて、圧力電極４５０、４６０がタッチセンシングＩＣ１５０に電気的に連結される場合が例示されなかったが、図１０ａないし図１０ｃ及びその他の方法で圧力電極４５０、４６０がタッチセンシングＩＣ１５０に連結されてもよい。
【０１１４】
図１２は、本発明の実施形態によるタッチ入力装置１０００のタッチ表面中心部を非伝導性客体で加圧する実験を遂行し、客体のグラム重量（ｇｒａｍ ｆｏｒｃｅ）に伴う静電容量の変化量を表示するグラフである。図１２から分かるように、本発明の実施形態によるタッチ入力装置１０００のタッチ表面中心部を加圧する力が大きくなるほど、圧力検出のための圧力電極パターン４５０、４６０の静電容量の変化量が大きくなることが分かる。
【０１１５】
以上においては、圧力検出のために静電容量方式の検出モジュールが説明されたが、本発明の実施形態によるタッチ入力装置１０００は、圧力検出のためにスペーサ層４２０、
２２０及び圧力電極４５０、４６０を用いる場合であれば、任意の方式の圧力検出モジュールを用いることができる。
【０１１６】
また、以上において、実施形態を中心に説明したが、これは単に例示に過ぎず、本発明を限定する訳ではなく、本発明が属する分野における通常の知識を有する者であれば、本実施形態の本質的な特徴を外れない範囲で、以上に例示されない様々な変形と応用が可能であることが分かるはずである。例えば、実施形態に具体的に示された各構成要素は、変形して実施することができるものである。そして、このような変形と応用に係る相違点は、添付の特許請求の範囲において規定する本発明の範囲に含まれるものと解釈されるべきである。
【符号の説明】
【０１１７】
１０００        タッチ入力装置
１００          タッチセンサパネル
１１０          感知部
１２０          駆動部
１３０          制御部
２００          ディスプレイモジュール
３００          基板
４００          圧力検出モジュール
４２０          スペーサ層
４５０、４６０  電極
【図１】
0005944604.tif 000002
【図２ａ】
0005944604.tif 000003
【図２ｂ】
0005944604.tif 000004
【図２ｃ】
0005944604.tif 000005
【図３】
0005944604.tif 000006
【図４ａ】
0005944604.tif 000007
【図４ｂ】
0005944604.tif 000008
【図５】
0005944604.tif 000009
【図６ａ】
0005944604.tif 000010
【図６ｂ】
0005944604.tif 000011
【図６ｃ】
0005944604.tif 000012
【図６ｄ】
0005944604.tif 000013
【図６ｅ】
0005944604.tif 000014
【図６ｆ】
0005944604.tif 000015
【図６ｇ】
0005944604.tif 000016
【図６ｈ】
0005944604.tif 000017
【図６ｉ】
0005944604.tif 000018
【図７ａ】
0005944604.tif 000019
【図７ｂ】
0005944604.tif 000020
【図８】
0005944604.tif 000021
【図９ａ】
0005944604.tif 000022
【図９ｂ】
0005944604.tif 000023
【図１０ａ】
0005944604.tif 000024
【図１０ｂ】
0005944604.tif 000025
【図１０ｃ】
0005944604.tif 000026
【図１１ａ】
0005944604.tif 000027
【図１１ｂ】
0005944604.tif 000028
【図１１ｃ】
0005944604.tif 000029
【図１２】
0005944604.tif 000030